【手続補正書】
【提出日】平成28年8月30日(2016.8.30)
【手続補正１】
【補正対象書類名】特許請求の範囲
【補正対象項目名】請求項１
【補正方法】変更
【補正の内容】
【請求項１】
互いに直交する縦方向および横方向と、肌対向面およびその反対面である着衣対向面とを有し、体液吸収性の本体部と、前記本体部における前記横方向に互いに対向する両側部それぞれから前記横方向の外側へ延出する一対のウイング部とを含み、前記本体部および前記ウイング部の前記着衣対向面には、前記着衣に対する止着域がそれぞれ設けられているパッド状の吸収性物品であって、
前記吸収性物品は、前記本体部と前記ウイング部との間の連結部に、前記縦方向に対向する一対の括れ部を有し、
前記ウイング部は、前記縦方向における寸法が、他の部分の前記縦方向における寸法よりも大きい拡幅部を有し、
前記ウイング部における前記横方向の寸法をＷ１としたとき、前記拡幅部は、前記寸法Ｗ１の半分よりも前記本体部に近くなるように配置してあることを特徴とする吸収性物品。
【手続補正２】
【補正対象書類名】特許請求の範囲
【補正対象項目名】請求項２
【補正方法】変更
【補正の内容】
【請求項２】
前記括れ部は、前記縦方向に対向する内側端縁と外側開口とを有し、前記内側端縁から前記外側開口へ向かって次第に拡開している請求項１に記載の吸収性物品。
【手続補正３】
【補正対象書類名】特許請求の範囲
【補正対象項目名】請求項８
【補正方法】変更
【補正の内容】
【請求項８】
前記ウイング部は、前記縦方向の外側へ向けて前記横方向における寸法が徐々に狭くなる凸端部を、前記括れ部に隣接する前記縦方向の前記両端部に有し、
前記凸端部は、前記拡幅部に含まれる請求項１−７のいずれかに記載の吸収性物品。
【手続補正４】
【補正対象書類名】特許請求の範囲
【補正対象項目名】請求項９
【補正方法】変更
【補正の内容】
【請求項９】
前記吸収性物品の前記本体部は、前記肌対向面側に位置する表面シート層と、前記着衣対向面側に位置する裏面シート層と、前記表裏面シート層の間に介在する体液吸収性の吸収体とを含み、
前記表面シート層と前記裏面シート層と前記吸収体とのそれぞれが前記縦方向への伸長性を有し、
前記裏面シート層には、前記横方向へ延びる複数のプリーツが前記縦方向に互いに隣接することによってプリーツ群域を形成されている非伸長性の第１シートと、前記第１シートと前記吸収体との間にあって前記吸収体を横断するとともに前記プリーツ群域を縦断した状態で前記第１シートに接合している弾性的に伸長可能な第２シートとによって弾性域が形成され、
前記吸収体は、前記横方向へ延びる複数のスリットを有し、前記吸収性物品に対して互いに反対向きの前記縦方向への引っ張り力が加えられたときには前記スリットが拡開することによって前記縦方向への伸長性を発現し、
前記スリットの少なくとも一つと前記弾性域とが重なり合った状態で配置され、
前記括れ部は前記弾性域に含まれる請求項１−８のいずれかに記載の吸収性物品。
【手続補正５】
【補正対象書類名】特許請求の範囲
【補正対象項目名】請求項１１
【補正方法】変更
【補正の内容】
【請求項１１】
前記ウイング部は、前記両端部のいずれか一方へ、その他方から見ると偏倚するように配置してあり、
前記両端部のうち前記ウイング部に近い前記一方の端部側の前記括れ部の内端縁を結び、前記横方向へ延びる第１仮想直線に対して、前記ウイング部は、少なくとも前記一方の端部に近い側に前記弾性域を含み、
前記両端部のうち前記ウイング部に遠い他方の端部側の前記括れ部の内端縁を結び、前記横方向へ延びる第２仮想直線に対して、前記ウイング部は、少なくとも前記他方の端部に近い側に前記弾性域を含み、
前記弾性域の双方は、前記吸収性物品に力が加えられていない状態から前記縦方向へ伸長可能であり、
前記本体部は、前記横方向の寸法２５．０ｍｍあたりについて７００ｍＮの伸長力を縦方向に作用させたときの伸長率が少なくとも１．０３〜１．１０倍である請求項９に記載の吸収性物品。
【手続補正６】
【補正対象書類名】明細書
【補正対象項目名】０００９
【補正方法】変更
【補正の内容】
【０００９】
本発明においては、前記吸収性物品は、前記本体部と前記ウイング部との連結部に、前記縦方向に対向する一対の括れ部を有し、前記ウイング部は、前記縦方向における寸法が、他の部分の前記縦方向における寸法よりも大きい拡幅部を有し、前記ウイング部における前記横方向の寸法をＷ１としたとき、前記拡幅部は、前記寸法Ｗ１の半分よりも前記本体部に近くなるように配置してある。
【手続補正７】
【補正対象書類名】明細書
【補正対象項目名】００５８
【補正方法】変更
【補正の内容】
【００５８】
加えて、第４施形態のナプキン１０は、第１実施形態のナプキン１０と同形に形成してあり、第１実施形態のナプキン１０が奏する作用・効果と同一の作用・効果を奏する。
【手続補正８】
【補正対象書類名】明細書
【補正対象項目名】００６１
【補正方法】変更
【補正の内容】
【００６１】
＜第５実施形態＞
第５実施形態のナプキン１０は、第４実施形態のナプキン１０に対し、第１域５１ａ，６０の配置のみが異なり、他の形状および構成等は、第４実施形態のナプキン１０と同じである。
【手続補正９】
【補正対象書類名】明細書
【補正対象項目名】００６４
【補正方法】変更
【補正の内容】
【００６４】
以上に記載した本発明に関する開示は、少なくとも下記事項に整理することができる。
本発明は、互いに直交する縦方向および横方向と、肌対向面およびその反対面である着衣対向面とを有し、体液吸収性の本体部と、前記本体部における前記横方向に互いに対向する両側部それぞれから前記横方向の外側へ延出する一対のウイング部とを含み、前記本体部および前記ウイング部の前記着衣対向面には、前記着衣に対する止着域がそれぞれ設けられているパッド状の吸収性物品であって、前記吸収性物品は、前記本体部と前記ウイング部との間の連結部に、前記縦方向に対向する一対の括れ部を有し、前記ウイング部は、前記縦方向における寸法が、他の部分の前記縦方向における寸法よりも大きい拡幅部を有し、前記ウイング部における前記横方向の寸法をＷ１としたとき、前記拡幅部は、前記寸法Ｗ１の半分よりも前記本体部に近くなるように配置してある。
【手続補正１０】
【補正対象書類名】明細書
【補正対象項目名】００６５
【補正方法】変更
【補正の内容】
【００６５】
上記段落に開示した本発明は、少なくとも下記の実施の形態を含むことができる。該実施の形態は、分離して又は互いに組み合わせて採択することができる。
（１）前記括れ部は、前記縦方向に対向する内側端縁と外側開口とを有し、前記内側端縁から前記外側開口へ向かって次第に拡開している。
（２）前記ウイング部の前記止着域の前記縦方向における両端縁は、一方の前記括れ部の内端縁、および他方の前記括れ部の内端縁より前記縦方向の外側に延在することがない。
（３）前記ウイング部は、前記肌対向面側に位置するシートと、前記着衣対向面側に位置する裏面シートとを含み、前記肌対向面側に位置するシートと前記裏面シートとは、前記ウイング部の周縁部に沿って断続的に形成された圧搾部において接合してある。
（４）前記本体部は、前記縦方向に互いに対向する両端部を有し、前記本体部は、前記連結部から前記両端部の間に、前記連結部の前記横方向の寸法に対して、前記横方向の寸法が大きい幅広部を有している。
（５）前記ウイング部は、前記両端部のいずれか一方へ、その他方から見ると偏倚するように配置してあり、前記両端部のうち前記ウイング部に近い一方の端部側の前記括れ部の前記縦方向Ａの寸法が、前記両端部のうち前記ウイング部に遠い一方の端部側の前記括れ部の前記縦方向の寸法よりも大きい。
（６）前記ウイング部は、前記両端部のいずれか一方へ、その他方から見ると偏倚するように配置してあり、前記両端部のうち前記ウイング部に近い一方の端部側の前記括れ部の前記横方向の寸法が、前記両端部のうち前記ウイング部に遠い一方の端部側の前記括れ部の前記横方向の寸法よりも大きい。
（７）前記ウイング部は、前記縦方向の外側へ向けて前記横方向における寸法が徐々に狭くなる凸端部を、前記括れ部に隣接する前記縦方向の前記両端部に有し、前記凸端部は、前記拡幅部に含まれる。
（８）前記吸収性物品の前記本体部は、前記肌対向面側に位置する表面シート層と、前記着衣対向面側に位置する裏面シート層と、前記表裏面シート層の間に介在する体液吸収性の吸収体とを含み、前記表面シート層と前記裏面シート層と前記吸収体とのそれぞれが前記縦方向への伸長性を有し、前記裏面シート層には、前記横方向へ延びる複数のプリーツが前記縦方向に互いに隣接することによってプリーツ群域を形成されている非伸長性の第１シートと、前記第１シートと前記吸収体との間にあって前記吸収体を横断するとともに前記プリーツ群域を縦断した状態で前記第１シートに接合している弾性的に伸長可能な第２シートとによって弾性域が形成され、前記吸収体は、前記横方向へ延びる複数のスリットを有し、前記吸収性物品に対して互いに反対向きの前記縦方向への引っ張り力が加えられたときには前記スリットが拡開することによって前記縦方向への伸長性を発現し、前記スリットの少なくとも一つと前記弾性域とが重なり合った状態で配置され、前記括れ部は前記弾性域に含まれる。
（９）前記凸端部は、前記プリーツ群域に含まれる。
（１０）前記ウイング部は、前記両端部のいずれか一方へ、その他方から見ると偏倚するように配置してあり、前記両端部のうち前記ウイング部に近い前記一方の端部側の前記括れ部の内端縁を結び、前記横方向へ延びる第１仮想直線に対して、前記ウイング部は、少なくとも前記一方の端部に近い側に前記弾性域を含み、前記両端部のうち前記ウイング部に近い他方の端部側の前記括れ部の内端縁を結び、前記横方向へ延びる第２仮想直線に対して、前記ウイング部は、少なくとも前記他方の端部に近い側に前記弾性域を含み、前記縦方向における前記弾性域の双方は、前記吸収性物品に力が加えられていない状態から前記縦方向へ伸長可能であり、前記本体部は、前記横方向の寸法２５．０ｍｍあたりについて７００ｍＮの伸長力を縦方向に作用させたときの伸長率が少なくとも１．０３〜１．１０倍である。
【手続補正１１】
【補正対象書類名】明細書
【補正対象項目名】００６７
【補正方法】変更
【補正の内容】
【００６７】
１０      吸収性物品（ナプキン）
１１      表面シート
１２      裏面シート
１５      本体部
１６      両側部
１７ａ    端部
１７ｂ    端部
１９      連結部
２０      ウイング部
２２      周縁部
２３      圧搾部
２６      幅広部
２７      幅広部
３１      止着域
３２      止着域
３４ａ    括れ部
３４ｂ    括れ部
３６      近位部
３９      拡幅部
４２      端縁
４３      端縁
４５ａ    内側端縁
４５ｂ    外側開口
４８      凸端部
４９      両端部
５１      表面シート層
５２      裏面シート層
５３      吸収体
５４      第１シート
５５      第２シート
５７      プリーツ
５８      プリーツ群域
５９      非プリーツ群域
６０      第１域（弾性域）
６１      第２域
７２      中央スリット（スリット）
７３      側縁スリット（スリット）
７４      第１仮想直線
７５      第２仮想直線
Ａ        縦方向
Ｂ        横方向
Ｌ１      拡幅部の縦方向における寸法
Ｌ４      ウイング部に近い一方の端部側の括れ部の縦方向の寸法
Ｌ５      ウイング部に遠い一方の端部側の括れ部の縦方向の寸法
Ｗ１      ウイング部における横方向の寸法
Ｗ６      ウイング部に近い一方の端部側の括れ部の横方向の寸法
Ｗ７      ウイング部に遠い一方の端部側の括れ部の横方向の寸法